(57)【要約】【課題】本発明は、コンピューターの安全性を高めることができる安全スイッチ装置を提供する。【解決手段】本発明の安全スイッチ装置は、電子製品のパワーオン操作を制御するために用いられ、電子製品のケースに設置されたロッキング装置及び電源スイッチを備え、ロッキング装置は、ロックコアと、ロックコアによって制御される第一ロックピン及び第二ロックピンと、を備え、電源スイッチは、第一ロックピンに接続される第一弾性シート及び電子製品のマザーボードの電源ピンに接続される第二弾性シートを備え、第二ロックピンは、マザーボードの接地ピンに接続されており、鍵をロッキング装置に差し込んでから回転して、第一ロックピン及び第二ロックピンを接触させることによって、電源スイッチをクローズして、電源ピンがパワーオン信号又はパワーオフ信号を受信し、電子製品をパワーオンする又はパワーオフする。【選択図】図２
2014141872.tif 000002
【特許請求の範囲】
【請求項１】
電子製品のパワーオン操作を制御するために用いられ、電子製品のケースに設置されたロッキング装置及び電源スイッチを備え、前記ロッキング装置は、ロックコアと、前記ロックコアによって制御される第一ロックピン及び第二ロックピンと、を備え、前記電源スイッチは、前記第一ロックピンに接続される第一弾性シート及び前記電子製品のマザーボードの電源ピンに接続される第二弾性シートを備え、前記第二ロックピンは、前記マザーボードの接地ピンに接続されており、
鍵を前記ロッキング装置に差し込んでから回転して、前記第一ロックピン及び前記第二ロックピンを接触させることによって、前記電源スイッチをクローズして、前記電源ピンがパワーオン信号又はパワーオフ信号を受信し、前記電子製品をパワーオンする又はパワーオフすることを特徴とする安全スイッチ装置。
【請求項２】
前記安全スイッチ装置は、前記電子製品のケースに設置されるリセットスイッチをさらに備え、前記リセットスイッチは、前記第一ロックピンに接続される第三弾性シート及び前記マザーボードのリセットピンに接続される第四弾性シートを備え、
前記鍵を前記ロッキング装置に差し込んでから回転して、前記第一ロックピン及び前記第二ロックピンを接触させることによって、前記リセットスイッチをクローズして、前記リセットピンがリセット信号を受信し、前記電子製品をリセットすることを特徴とする請求項１に記載の安全スイッチ装置。
【発明の詳細な説明】
【技術分野】
【０００１】
本発明は、コンピューターなどの電子製品に応用される安全スイッチ装置に関するものである。
【背景技術】
【０００２】
コンピューターをスタートオンするスイッチ装置は、電源ボタン及びリセットボタンを備える。電源ボタン及びリセットボタンはケーブルによってマザーボードに接続されており、電源ボタン又はリセットボタンを押すだけで、コンピューターをスタートオンすることができてしまうので、コンピューターの安全性は低い。
【発明の概要】
【発明が解決しようとする課題】
【０００３】
本発明の目的は、前記課題を解決し、コンピューターの安全性を高めることができる安全スイッチ装置を提供することである。
【課題を解決するための手段】
【０００４】
前記目的を達成するため、本発明に係る安全スイッチ装置は、電子製品のパワーオン操作を制御するために用いられ、電子製品のケースに設置されたロッキング装置及び電源スイッチを備え、前記ロッキング装置は、ロックコアと、前記ロックコアによって制御される第一ロックピン及び第二ロックピンと、を備え、前記電源スイッチは、前記第一ロックピンに接続される第一弾性シート及び前記電子製品のマザーボードの電源ピンに接続される第二弾性シートを備え、前記第二ロックピンは前記マザーボードの接地ピンに接続され、鍵を前記ロッキング装置に差し込んでから回転して、前記第一ロックピン及び前記第二ロックピンを接触させる場合、前記電源スイッチをクローズして、前記電源ピンがパワーオン信号又はパワーオフ信号を受信することにして、電子製品をパワーオンする又はパワーオフすることを特徴とする。
【発明の効果】
【０００５】
本発明に係る安全スイッチ装置では、ロッキング装置の第一ロックピン及び第二ロックピンを接触させてから電源スイッチ又はリセットスイッチをクローズすることにより、電源ピン又はリセットピンがマザーボードに低レベルのパワーオン信号又はリセット信号を提供することができる。そのため、権限を与えられたユーザーがコンピューターを使用しない場合に、鍵でロッキング装置をロックして、即ち鍵を回転して第一ロックピンと第二ロックピンを分離させて、権限を与えられなかったユーザーがコンピューターをパワーオンする又はリセットすることができないようにして、コンピューターの安全性を高める。
【図面の簡単な説明】
【０００６】
【図１】本発明の実施形態に係る安全スイッチ装置をホストコンピューターに使用することを示す図である。
【図２】図１に示すホストコンピューターの操作パネルを示す図である。
【図３】本発明の実施形態に係る安全スイッチ装置の回路図である。
【発明を実施するための形態】
【０００７】
以下、図面を参照して、本発明の実施形態について説明する。
【０００８】
本発明の安全スイッチ装置は、コンピューター、プリンター、スキャナーなどの電子製品に応用され、電子製品の電源ボタン又はリセットボタンに対する制御を実現する。本実施形態において、安全スイッチ装置はホストコンピューターに応用される。
【０００９】
図１及び図２に示されたように、ホストコンピューターは、ケース１１及びケース１１の内部に設置されるマザーボード３０を備え、ケース１１の手前側には操作パネル１１０が設置される。操作パネル１１０には、電源ボタン１２、リセットボタン１３及びロッキング装置１４が設置される。ロッキング装置１４は、ロックコアと、ロックコアによって制御される第一ロックピン１４１及び第二ロックピン１４３と、を備える。ロッキング装置１４の表面には鍵穴１４５が設けられ、鍵を鍵穴１４５に差し込んでから回転すると、第一ロックピン１４１と第二ロックピン１４３の接触又は分離を制御することができる。
【００１０】
図１及び図３に示されたように、マザーボード３０には、低レベルのパワーオン／パワーオフ信号を受信する電源ピン３０１と、低レベルのリセット信号を受信するリセットピン３０２と、マザーボード接地層に接続される接地ピン３０３と、が設置される。電源スイッチ１３０は、第一弾性シート１３２及び第二弾性シート１３４を備える。リセットスイッチ１３１は、第三弾性シート１３３及び第四弾性シート１３５を備える。電源スイッチ１３０の第一弾性シート１３２は、ロッキング装置１４の第一ロックピン１４１に接続され、電源スイッチ１３０の第二弾性シート１３４は、マザーボード３０の電源ピン３０１に接続される。リセットスイッチ１３１の第三弾性シート１３３は、ロッキング装置１４の第一ロックピン１４１に接続され、リセットスイッチ１３１の第四弾性シート１３５は、マザーボード３０のリセットピン３０２に接続される。ロッキング装置１４の第二ロックピン１４３は、マザーボード３０の接地ピン３０３に接続される。
【００１１】
権限を与えられたユーザーは、ホストコンピューターのロッキング装置１４の鍵を持っている。権限を与えられたユーザーがロッキング装置１４の鍵穴に鍵を差し込んで回転すると、第一ロックピン１４１及び第二ロックピン１４３は互いに接触する又は分離する。権限を与えられたユーザーがコンピューターを使用する場合、ロッキング装置１４の鍵穴に鍵を差し込んでから回転して、第一ロックピン１４１及び第二ロックピン１４３を接触させると、第一ロックピン１４１及び第二ロックピン１４３は全てマザーボード３０の接地ピンに接続される。この状態で、ユーザーが電源ボタン１２を押すと、電源スイッチ１３０の第一弾性シート１３２と第二弾性シート１３４を電気的に接触し、電源スイッチ１３０がクローズする。そして、マザーボード３０の電源ピン３０１は、低レベルのパワーオン信号を受信して、コンピューターシステムをスタートオンさせる。また、ユーザーがリセットボタン１３を押すと、リセットスイッチ１３１の第三弾性シート１３３と第四弾性シート１３５は接触し、リセットスイッチ１３１がクローズする。そして、マザーボード３０のリセットピン３０２は、低レベルリセット信号を受信して、コンピューターシステムをリセットさせる。権限を与えられたユーザーがコンピューターを使用しない場合には、鍵穴に差し込まれた鍵を回転して、第一ロックピン１４１及び第二ロックピン１４３を分離させてから、ロッキング装置１４から鍵を抜き出す。
【００１２】
一方、権限を与えられなかったユーザーは鍵を持っていないので、ロッキング装置１４の第一ロックピン１４１と第二ロックピン１４３を接触させることができない。そのため、電源ボタン１２又はリセットボタン１３を押して電源スイッチ１３０又はリセットスイッチ１３１をクローズしようとしても、電源ピン３０１又はリセットピン３０２を触発することができない。このように権限を与えられたユーザーがコンピューターを使用しない場合、鍵をロッキング装置１４の鍵穴に差し込んでから回転して、第一ロックピン１４１と第二ロックピン１４３を分離させることにより、権限を与えられなかったユーザーがコンピューターをパワーオンする又はリセットすることができないようにして、コンピューターの安全性を高める。
【符号の説明】
【００１３】
１０  安全スイッチ装置
１１  ケース
１２  電源ボタン
１３  リセットボタン
１４  ロッキング装置
３０  マザーボード
１１０  操作パネル
１３０  電源スイッチ
１３１  リセットスイッチ
１３２  第一弾性シート
１３３  第三弾性シート
１３４  第二弾性シート
１３５  第四弾性シート
１４１  第一ロックピン
１４３  第二ロックピン
１４５  鍵穴
３０１  電源ピン
３０２  リセットピン
３０３  接地ピン
【図１】
2014141872.tif 000003
【図２】
2014141872.tif 000004
【図３】
2014141872.tif 000005